(57)【要約】【課題】不快害虫の侵入を阻止し、目的のシロアリのみが侵入することのできるシロアリ防除容器、シロアリ防除装置およびシロアリ防除方法を提供する。【解決手段】穴の最長対角線または最長径の長さが５ｍｍ以下で、かつ表面積が２５ｍｍ2以下である穴を一箇所以上有し、容器の一部もしくは全部が透明もしくは半透明であることを特徴とするシロアリ防除容器に、セルロース成分を含有する基材とシロアリに対して経口的に摂取させることでシロアリを遅効的に致死させる殺虫剤の１種または2種以上の混合物を収納して作成されたシロアリ防除装置を地中に埋設することにより、不快害虫の侵入を阻止し、目的のシロアリのみが侵入することができ、高いシロアリ防除効果を示すことを見出した。【特許請求の範囲】
【請求項１】
穴の最長対角線または最長径の長さが５ｍｍ以下で、かつ表面積が２５ｍｍ2以下である穴を一箇所以上有することを特徴とするシロアリ防除容器。
【請求項２】
容器の一部もしくは全部が透明もしくは半透明であることを特徴とする請求項１に記載のシロアリ防除容器。
【請求項３】
セルロース成分を含有する基材とシロアリに対して経口的に摂取させることでシロアリを遅効的に致死させる殺虫剤の１種または2種以上の混合物を請求項１または２に記載の容器内に収納することを特徴とするシロアリ防除装置。
【請求項４】
請求項３に記載のシロアリ防除装置を地中に埋設することを特徴とするシロアリ防除方法。
【発明の詳細な説明】
【技術分野】
【０００１】
本発明は、シロアリ防除容器、装置ならびにこの装置を地中に埋設することを特徴とするシロアリ防除方法に関する。
【背景技術】
【０００２】
シロアリ類を防除するためには、殺虫剤を建物の床下の土壌へ散布したり、シロアリが食害する木部へ直接処理する方法が一般的である。一方、近年レスケミカル化の動きや処理の簡便さからベイト剤が好まれる傾向になってきた。これまでのベイト剤は、まず木材などのシロアリの餌をプラスチック容器などに収納して地中に埋設し、この餌にシロアリがついたら、ベイト剤に交換するという方法が一般的である。（例えば非特許文献１）
しかしながら、このような方法では、容器表面の穴の大きさが大きいと、目的とするシロアリではなく、ダンゴムシ、ムカデ、ナメクジなどの不快害虫が侵入してしまい、これらの害虫がシロアリの侵入を妨げてしまうという問題があった。このようなことから、不快害虫の侵入を阻止し、目的のシロアリのみが侵入することのできるシロアリ防除容器、シロアリ防除装置およびシロアリ防除方法が望まれていた。
【０００３】
【非特許文献１】Journal of Economic Entomology, Vol.93, No.5, p1498-1507, Response of Reticulitermes spp. (Isoptera: Rhinotermitidae) in Northern California to Baiting with Hexaflumuron with Sentricon Termite Colony Elimination System, GALL M. GETTY, MICHAEL I. HAVERTY, KIRSTEN A. COPREN, and VERNARD R. LEWIS）。
【発明の開示】
【発明が解決しようとする課題】
【０００４】
不快害虫の侵入を阻止し、目的のシロアリのみが侵入することのできるシロアリ防除容器、シロアリ防除装置およびシロアリ防除方法を提供することが本発明の課題である。
【課題を解決するための手段】
【０００５】
本発明者は、不快害虫の侵入を阻止し、目的のシロアリのみが侵入することのできるシロアリ防除容器、シロアリ防除装置およびシロアリ防除方法について鋭意検討した結果、穴の最長対角線または最長径の長さが５ｍｍ以下で、かつ表面積が２５ｍｍ2以下である穴を一箇所以上有し、容器の一部もしくは全部が透明もしくは半透明であることを特徴とするシロアリ防除容器中に、セルロース成分を含有する基材とシロアリに対して経口的に摂取させることでシロアリを遅効的に致死させる殺虫剤の１種または2種以上の混合物を収納して作成されたシロアリ防除装置を地中に埋設することにより、不快害虫の侵入を阻止し、目的のシロアリのみが侵入することにより、高いシロアリ防除効果を示すことを見出した。
【０００６】
穴の最長対角線または最長径の長さが５ｍｍ以下で、かつ表面積が２５ｍｍ2以下である穴を一箇所以上有することを特徴とするシロアリ防除容器の具体的な形状としては、セルロース成分を含有する基材とシロアリに対して経口的に摂取させることでシロアリを遅効的に致死させる殺虫剤（以下、食毒剤という）の１種または2種以上の混合物を収容することができる空間を有する容器であれば特に限定は無く、例えば、立方体、直方体、球型、円柱型、棒型、円錐型、卵型、ペットボトル型などの構造をあげることができる。そのどこかに穴の最長対角線または最長径の長さが５ｍｍ以下で、かつ表面積が２５ｍｍ2以下である穴を一箇所以上有するものであればよく、その形状も特に限定されず、円形、楕円形、半円形、扇形、卵形、瓢箪形、三角形、正方形、長方形、台形、菱形、五角形、六角形、八角形、星形等任意に選択することができる。なお、穴の形状は、製造のし易さや見た目の美しさから、円形、楕円形、正方形、長方形、正六角形が好ましい。
【０００７】
容器の材質は、特に限定されず、容器の一部もしくは全部が透明もしくは半透明であることが好ましい。容器の材質としては、例えば、メタクリル樹脂、PET、ポリカーボネート、ポリアセタール、ポリアミド、ポリプロピレン、ポリエチレン、EＶＡ樹脂、ＭＭＡ樹脂、エポキシ樹脂、フェノール樹脂などを挙げることができ、必要に応じて、可塑剤、各種安定剤、紫外線吸収剤、着色剤、帯電防止剤、抗酸化剤などの添加剤を加えることができる。樹脂以外では、ガラスなども用いることができる。また、透明もしくは半透明である必要のない部分の材質については、プラスチック、木材、紙、金属、セラミックなど、いかなる材質を用いてもよい。
【０００８】
本発明に用いる食毒剤としては、昆虫成長調節剤（ピリプロキシフェン、フェノキシカルブ、ヒドラメチルノン、ジフルベンズロン、クロルフルアズロン、ヘキサフルムロン、トリフルムロン、ビストリフルロンなど）、スルフルラミド、ホウ素系化合物などを、一種または２種以上を組み合わせて使用することができる。セルロース成分を含有する基材としては、セルロースを含有するものであれば特に限定は無く、種々の木片、木粉、紙、パルプ、セルロース粉末などを基材として使用することができ、これらを複数混合して使用することもできる。これら基材に含浸させる食毒剤の濃度としては、０．０１重量％以上２０重量％以下であり、好ましくは０．１重量％以上５重量％以下である。
【０００９】
本発明のシロアリ防除装置を地中に埋設する方法としては、シロアリから守るべき建物、樹木、材木などを特定し、その周囲に１５ｃｍ以上１０ｍ以下の間隔、好ましくは３０ｃｍ以上５ｍ以下の間隔で、地表から深さ１００ｃｍまでの任意の深さに本発明のシロアリ防除装置を埋設する。
【発明の効果】
【００１０】
本発明のシロアリ防除容器およびシロアリ防除装置を地下に埋設することにより、高いシロアリ防除効果を示すことができた。
【発明を実施するための最良の形態】
【００１１】
次に製剤例及び実施例によりさらに詳細に説明するが、本発明がこれらによって限定されることはない。
【実施例１】
【００１２】
シロアリ防除容器の製造。以下の材料１から４を準備した。
材料１．外径１０ｃｍ×１０ｃｍ×１．０ｃｍの直方体型の木片。
材料２．幅１ｃｍ、長さ１０ｃｍ、高さ０．５ｃｍのダンボール片を４段重ねにして、それぞれ両面テープで結合させたもの。但し、長い方の側面には、穴の構造が多数あり、その穴の大きさが、３ｍｍ×３ｍｍ程度の正方形であるものとした。
材料３．幅１ｃｍ、長さ８ｃｍ、高さ０．５ｃｍのダンボール片を４段重ねにして、それぞれ両面テープで結合させたもの。但し、長い方の側面には、穴の構造が多数あり、その穴の大きさが、３ｍｍ×３ｍｍ程度の正方形であるものとした。
材料４．外径１０ｃｍ×１０ｃｍ×１ｍｍの直方体型の透明プラスチック板。
材料１の周囲に、材料２と材料３を隙間なく配置して側面を形成し、次に、材料４をその上面に被せた。材料２および３と材料１または４の接する部分は、両面テープで接合させることで、シロアリ防除容器を製造した。
【実施例２】
【００１３】
シロアリ防除装置の製造。昆虫成長調節剤であるジフルベンズロン１．０重量％を含浸させた厚み０．３ｍｍの白色の紙を２ｃｍの高さまで束ねて、５ｃｍ×５ｃｍの正方形の大きさに切断した。この切断した紙（以下ベイト剤という）を実施例１で製造したシロアリ防除容器に収納してシロアリ防除装置を完成した。
【００１４】
（比較例１）
シロアリ防除容器の製造。以下の材料を準備した。
材料１．外径１．０ｃｍ×１０ｃｍ×１．０ｃｍの直方体型の木片。
材料２．幅１ｃｍ、長さ１０ｃｍ、高さ０．５ｃｍのダンボール片を４段重ねにして、それぞれ両面テープで結合させたもの。但し、長い方の側面には、穴の構造が多数あり、その穴の大きさが、３ｍｍ×９ｍｍ程度の長方形であるものとした。
材料３．幅１ｃｍ長さ８ｃｍ高さ０．５ｃｍのダンボール片を４段重ねにして、それぞれ両面テープで結合させたもの。但し、長い方の側面には、穴の構造が多数あり、その穴の大きさが、３ｍｍ×９ｍｍ程度の長方形であるものとした。
材料４．外径１０ｃｍ×１０ｃｍ×１ｍｍの直方体型の透明プラスチック板。
材料１の周囲に、材料２と材料３を隙間なく配置して側面を形成し、次に、材料４をその上面に被せた。材料２および３と材料１または４の接する部分は、両面テープで接合させることで、シロアリ防除容器を製造した。
【００１５】
（比較例２）
シロアリ防除装置の製造。
実施例２で製造したベイト剤を比較例１で製造したシロアリ防除容器に収納してシロアリ防除装置を完成した。
【００１６】
（試験例１）
プラスチック容器（奥行き２７ｃｍ、側面３６ｃｍ、深さ１０ｃｍ）に、湿度２５％を含有する土壌を深さ４cmとなるようにこの容器内に敷き詰めた。この容器を２つ準備し、それぞれ実施例２と比較例２のシロアリ防除装置を一個ずつ設置し、この装置の上面が土壌層の上面と等しくなるようにした。ワラジムシ成虫５０頭をこれらの容器内に放虫し、１週間放置した。その後、ワラジムシがシロアリ防除装置内へ侵入した数を調査した。シロアリ防除装置内に入らなかったワラジムシはすべて取り出し、次にイエシロアリ職蟻３００頭および兵蟻５０頭をこの容器に放虫して、２ヵ月後に、イエシロアリ職蟻の死亡率を調査した。
試験結果を表１（シロアリ防除装置内のワラジムシの数）および２（イエシロアリ職蟻の死亡率）に示す。
【表１】
2007053946.tif 000002
表１より、実施例２は、まったくワラジムシを容器内に侵入させなかったが、比較例２では、３８頭ものワラジムシを容器内に侵入させた。
【表２】
2007053946.tif 000003
表２より、実施例２は１００％の優れたシロアリ防除効果を示したが、比較例２では、わずか３６％の死亡率であった。
【産業上の利用可能性】
【００１７】
本発明のシロアリ防除容器およびシロアリ防除装置は、シロアリの防除に極めて有効に利用できる。